(57)【要約】【課題】一度の接続操作で、複数の接続チューブを内視鏡の各管路に連通するように接続することができる内視鏡洗浄消毒システムを実現する。【解決手段】内視鏡洗浄消毒システム１は、内視鏡２を洗浄消毒するための内視鏡洗浄消毒装置７と、一端側が内視鏡洗浄消毒装置７に接続され、他端側が内視鏡２の内部に設けられた複数の管路の開口に連通するように配置され、複数の管路の開口が設けられた部分を水密に覆う収納部９を有するコネクタ接続部６と、を有する。【選択図】図１
2014057637.tif 000002
【特許請求の範囲】
【請求項１】
内視鏡を洗浄消毒するための内視鏡洗浄消毒装置と、
一端側が前記内視鏡洗浄消毒装置に接続され、他端側が前記内視鏡の内部に設けられた複数の管路の開口に連通するように配置され、前記複数の管路の開口が設けられた部分を水密に覆う収納部を有する接続部材と、
を具備したことを特徴とする内視鏡洗浄消毒システム。
【請求項２】
前記接続部材の前記収納部は、前記複数の管路の基端側であり前記内視鏡のコネクタ全体を水密に収納して前記コネクタに配置された複数の開口にそれぞれ連通するように構成したことを特徴とする請求項１に記載の内視鏡洗浄消毒素ステム。
【請求項３】
前記接続部材の前記収納部は、前記複数の管路の開口をそれぞれ水密に覆う複数の空間部を有することを特徴とする請求項１または請求項２に記載の内視鏡洗浄消毒装置。
【請求項４】
前記接続部材の前記収納部は、前記管路の先端側であり前記管路の開口が設けられた前記内視鏡の挿入部の先端部を水密に覆って前記先端部に配置された開口に連通するように配置して構成したことを特徴とする請求項１に記載の内視鏡洗浄消毒装置。
【請求項５】
前記接続部材の前記収納部は、前記先端部に配置された前記複数の開口を水密に覆う１つの空間部を有することを特徴とする請求項１に記載の内視鏡洗浄消毒装置。
【請求項６】
前記接続部材の前記収納部は、
前記内視鏡の送気口金から送気管路および送水管路に洗浄消毒液を送液する第１の空間部と、
前記内視鏡の前記送気口金から送液された洗浄消毒液を、前記内視鏡の加圧口金から送水口金に導くための第２の空間部と、
前記内視鏡の吸引口金から吸引管路に送液するための第３の空間部と、
前記内視鏡の副送水口金から副送水管路に送液するための第４の空間部と、
を具備し、
前記第１〜第４の空間部は、前記収納部内で互いに水密的に区切られていることを特徴とする請求項１から請求項３の何れか１項に記載の内視鏡洗浄消毒システム。
【発明の詳細な説明】
【技術分野】
【０００１】
本発明は、内視鏡の内部に設けられている管路の洗浄、消毒を行う内視鏡洗浄消毒装置を備えた内視鏡洗浄消毒システムに関する。
【背景技術】
【０００２】
従来、内視鏡は医療分野等において広く利用されている。医療分野において用いられる内視鏡は、特に検査及び治療を目的として体内に挿入部を挿入して使用される。そのため、使用後の内視鏡は、洗浄液による洗浄、消毒液により消毒、エチエンオキサイドガス等による滅菌等を行って、再使用時には清浄な状態で使用される。
【０００３】
内視鏡は、送気のための送気管路、送水を行うための送水管路、吸引のための吸引管路等、各種流体用管路を備えている。そのため、内視鏡を洗浄消毒する際は、内視鏡の外表面だけでなく、前記流体用管路も洗浄消毒する必要がある。これら管路内の洗浄消毒は、内視鏡の外表面を洗浄消毒するのに比べて作業がわずらわしい。そして、これら管路内を洗浄消毒する際は、例えば内視鏡洗浄消毒装置が使用される。
【０００４】
このような従来の内視鏡洗浄消毒装置としては、例えば特許文献１に記載の内視鏡洗浄消毒装置がある。  
特許文献１に記載の内視鏡洗浄消毒装置は、吸引装置と、吸引用チューブと、この吸引用チューブに設けられた管路用コネクタとを有し、内視鏡の各管路内の洗浄を行う場合には、内視鏡の送水口金と加圧口金とが栓部材に設けられた連通路を介して導通状態となるように栓部材を取り付け、さらに吸引用チューブの管路用コネクタを内視鏡の吸引口金または送気口金に連結する構成である。
【０００５】
そして、この内視鏡洗浄消毒装置は、挿入部の先端部を洗浄液内に浸漬した後、吸引装置による吸引により、洗浄液が先端部の吸引管路先端開口から内視鏡の吸引管路内、または送気管路内、または送水管路内に浸入され、吸引チューブを介して吸引装置側のアスピレータの排出口から排出されることで、各管路内の洗浄を順次行っている。
【先行技術文献】
【特許文献】
【０００６】
【特許文献１】特開２００９−８９７９５号公報（図９参照）
【発明の概要】
【発明が解決しようとする課題】
【０００７】
しかしながら、特許文献１に記載の内視鏡洗浄消毒装置では、内視鏡の各管路内の洗浄を行う場合に、使用者は、送水口金と加圧口金とを覆うように栓部材を取り付けるとともに、一つの吸引チューブの管路用コネクタを吸引口金に連結して吸引管路内の洗浄を行い、その後、この管路用コネクタを取り外して送気口金に連結して送気管路内及び送水管路内の洗浄を行わなければならない。
【０００８】
そのため、この特許文献１に記載の内視鏡洗浄消毒装置は、内視鏡の各口金と管路用コネクタとの接続箇所が多く、また、送水口金と加圧口金とに栓部材を取り付けるため、接続作業に手間がかかってしまう。
【０００９】
また、他の従来技術には、洗浄液及び消毒液を送液する内視洗浄消毒装置と、この内視鏡洗浄消毒装置に接続される複数の接続チューブと、これら複数の接続チューブに設けられた管路用コネクタとを備えた内視鏡洗浄消毒装置がある。しかしながら、このような内視鏡洗浄消毒装置においても、特許文献１と同様、複数の管路用コネクタと内視鏡の各口金との接続箇所が多いため、接続作業に手間がかかってしまう。
【００１０】
そこで、本発明は前記問題点に鑑みてなされたもので、一度の接続操作で、複数の接続チューブを内視鏡の各管路に連通するように接続することができる内視鏡洗浄消毒システムを提供することを目的とする。
【課題を解決するための手段】
【００１１】
本発明の一態様の内視鏡洗浄消毒素ステムは、内視鏡を洗浄消毒するための内視鏡洗浄消毒装置と、一端が前記内視鏡洗浄消毒装置に接続され、他端が前記内視鏡の内部に設けられた管路の開口に接続される接続部材と、を具備し、前記接続部材は、前記内視鏡における前記管路の開口が設けられた部分を水密に覆う収納部を有して構成したことを特徴とする。
【発明の効果】
【００１２】
本発明によれば、一度の接続操作で、複数の接続チューブを内視鏡の各管路に連通するように接続することができる内視鏡洗浄消毒システムを実現できる。
【図面の簡単な説明】
【００１３】
【図１】本発明の第１の実施形態に係る内視鏡洗浄消毒システムの内部構成を示す図
【図２】図１の内視鏡のコネクタの構成を示し、図１のコネクタ接続部への収納時の向きの状態を示す斜視図
【図３】図１の収納時の向きの状態から１８０度回転させた状態の内視鏡のコネクタの構成を示す構成図
【図４】図１のコネクタ接続部の外観構成を示し、蓋部を開いた状態を示す斜視図
【図５】図４のＡ矢印方向から見た場合のコネクタ接続部の構成を示す側面図
【図６】図５の蓋部を閉じた状態のコネクタ接続部の構成を示す側面図
【図７】図６のＶＩＩ−ＶＩＩ線断面図
【図８】図５のＶＩＩＩ−ＶＩＩＩ線断面図
【図９】シールド部の取付方法を説明する説明図
【図１０】シールド部の他の取付方法を説明する説明図
【図１１】各送液口金の取り付け方法を説明する説明図
【図１２】各送液口金の他の取り付け方法を説明する説明図
【図１３】コネクタ接続部に内視鏡のコネクタを収納する手順を説明する説明図
【図１４】コネクタ接続部に内視鏡のコネクタを収納する手順を説明する説明図
【図１５】コネクタ接続部に内視鏡のコネクタを収納する手順を説明する説明図
【図１６】コネクタ接続部に内視鏡のコネクタを収納する手順を説明する説明図
【図１７】本発明の第２の実施形態に係る内視鏡洗浄消毒システムに用いられる内視鏡のコネクタの構成を示す斜視図
【図１８】図１７のコネクタの側面図
【図１９】第２の実施形態に係る内視鏡洗浄消毒システムに用いられるコネクタ接続部の外観構成を示し、蓋部を開いた状態を示す斜視図
【図２０】コネクタを収納して蓋部を閉じた状態のコネクタ接続部およびコネクタの内部構成を示す断面図
【図２１】コネクタ接続部に内視鏡のコネクタを収納する手順を説明する説明図
【図２２】コネクタ接続部に内視鏡のコネクタを収納する手順を説明する説明図
【図２３】コネクタ接続部に内視鏡のコネクタを収納する手順を説明する説明図
【図２４】本発明の第３の実施形態に係る内視鏡洗浄消毒システムに用いられるコネクタ接続部の構成を示す断面図
【図２５】変形例１に係る内視鏡のコネクタの外観構成を示す図
【図２６】図２５に示す内視鏡コネクタの各口金に接続チューブを接続した状態を示す図
【図２７】変形例２に係り、内視鏡のコネクタに設けられた口金の構成を示す側面図
【図２８】変形例２に係り、図２７に示す口金に接続される洗浄具接続口金の構成を示す斜視図
【図２９】図２７に示す口金に図２８に示す洗浄具接続口金を取り付けた状態を示す断面図
【図３０】図２９に示す状態から取り外した状態の洗浄具接続口金を示す斜視図
【図３１】変形例３に係る内視鏡洗浄消毒装置の構成を示す断面図
【図３２】内視鏡のコネクタに設けられた口金に内視鏡洗浄消毒装置の送液口を装着した状態の断面図
【図３３】変形例４に係る内視鏡洗浄消毒装置の構成を示す断面図
【図３４】変形例５に係る内視鏡洗浄消毒装置の構成を示す断面図
【発明を実施するための形態】
【００１４】
以下、図面を参照しながら本発明の実施の形態について詳細に説明する。  
（第１の実施形態）
図１〜図１６は、本発明の内視鏡洗浄消毒装置の第１の実施形態を示し、図１は、第１の実施形態の内視鏡洗浄消毒システムの全体構成を示す構成図、図２は、図１の内視鏡のコネクタの構成を示し、図１のコネクタ接続部への収納時の向きの状態を示す斜視図、図３は、図１の収納時の向きの状態から１８０度回転させた状態の内視鏡のコネクタの構成を示す構成図である。
【００１５】
図１に示すように、第１の実施形態の内視鏡洗浄消毒システム１は、接続部材を構成するコネクタ接続部６と、使用済みの内視鏡２を洗浄、消毒するための内視鏡洗浄消毒装置７と、を有して構成される。
【００１６】
まず、内視鏡洗浄消毒システム１に用いられる内視鏡２の構成について図１〜図３を用いて説明する。  
図１に示すように、内視鏡２は、操作部２ａと、この操作部２ａの手元側に配されるユニバーサルコード部２ｂと、操作部２ａの先端側に配される挿入部２ｃと、ユニバーサルコード部２ｂの基端側に配されるコネクタ５と、を有して構成される。  
挿入部２ｃの先端部の先端面には、図示しない観察窓、照明窓の他、観察窓の洗浄を行うために観察窓に向け送気送水を行う開口部である送気送水ノズル２ｄと、体内の組織等を吸引するための開口部である吸引口２ｅと、体内の被検体に送水を行う開口部である副送水ノズル２ｆとが設けられている。
【００１７】
操作部２ａには、送気送水管路及び吸引管路が外部と連通する開口を有する送気送水シリンダー３ａと吸引シリンダー３ｂとが設けられている。また、操作部２ａの先端部側には処置具を挿入する開口部である鉗子口金３ｃ１を有する鉗子口部３ｃが設けられている。
【００１８】
送気送水シリンダー３ａには送気送水ノズル２ｄへ気体と液体の何れを送るかを選択操作するための送気送水制御ボタン（不図示）が着脱自在に装着される。吸引シリンダー３ｂには吸引口２ｅから吸引するか否かを選択操作する吸引制御ボタン（不図示）が着脱自在に装着されるようになっている。
【００１９】
そして、流体管路である送気送水管路及び吸引管路の洗浄消毒を行う際には、内視鏡用洗浄アダプタ４Ａのアダプタ本体４Ａ１が内視鏡２の操作部２ａに設けられた開口部に着脱自在に装着されるようになっている。この際、内視鏡用洗浄アダプタ４Ａの送気送水プラグ４Ａ２を送気送水シリンダー３ａに取り付け、吸引プラグ４Ａ３を吸引シリンダー３ｂに取り付ける。また、リーク口４ａを有する栓体４を鉗子口金３ｃ１に取り付ける。
【００２０】
内視鏡２の送気送水シリンダー３ａより先端部側である操作部２ａの先端部側および挿入部２ｃの内部には、流体管路であって内部管路である送気送水管路を構成する送気チャンネル２ｃａ、送水チャンネル２ｃｂおよび副送水チャンネル２ｃｄが配設されている。
【００２１】
送気チャンネル２ｃａは、操作部側が送気送水シリンダー３ａと連通し、先端部側が送気送水ノズル２ｄと連通している。送水チャンネル２ｃｂは、操作部側が送気送水シリンダー３ａと連通し、先端部側は送気チャンネル２ｃａと合流（連通）することにより、送気送水ノズル２ｄと連通している。副送水チャンネル２ｃｄは、図示はしないが操作部側が送気送水シリンダー３ａと連通し、先端部側は副送水ノズル２ｆと連通している。
【００２２】
また、内視鏡２の吸引シリンダー３ｂより先端部側である操作部２ａの先端部側および挿入部２ｃの内部には、流体管路であって内部管路である吸引管路を構成する吸引チャンネル２ｃｃが配設されている。吸引チャンネル２ｃｃの操作部側は吸引シリンダー３ｂと連通し、先端部側は吸引口２ｅと連通する。また、吸引チャンネル２ｃｃの管路の中途部には分岐部が設けられ、処置具チャンネル３ｃｃの一端部が連通し、処置具チャンネル３ｃｃの他端部は鉗子口金３ｃ１に連通している。
【００２３】
一方、内視鏡２の送気送水シリンダー３ａよりコネクタ側である操作部２ａのコネクタ側およびユニバーサルコード部２ｂ、コネクタ５の内部には、流体管路であって内部管路である送気送水管路を構成する送気チューブ２ｂａ、送水チューブ２ｂｂおよび副送水チューブ２ｂｄが配設されている。
【００２４】
送気チューブ２ｂａの先端部側は送気送水シリンダー３ａと連通し、コネクタ側は内視鏡２の送気送水シリンダー３ａよりコネクタ側の内部で分岐され、一方が後述する加圧口金５ｂ、他方が送気口金５ａと連通している。送水チューブ２ｂｂの先端部側は送気送水シリンダー３ａと連通し、コネクタ側は後述する送水口金５ｃと連通している。副送水チューブ２ｂｄの先端部側は、図示はしないが送気送水シリンダー３ａと連通し、コネクタ側は後述する副送水口金５ｅと連通している。
【００２５】
また、内視鏡２の吸引シリンダー３ｂよりコネクタ側である操作部２ａのコネクタ側およびユニバーサルコード部２ｂ、コネクタ５の内部には、流体管路であって内部管路である吸引管路を構成する吸引チューブ２ｂｃが配設されている。吸引チューブ２ｂｃの先端部側は吸引シリンダー３ｂと連通し、コネクタ側は後述する吸引口金５ｄと連通している。
【００２６】
内視鏡２のコネクタ５は、図１〜図３に示すように、本体部５Ａと、この本体部５Ａの基端側に設けられたライトガイド５Ｂと、本体部５Ａの先端部側に設けられた把持部５Ｃと、ライトガイド５Ｂと把持部５Ｃとの間の本体部５Ａに設けられ、先端側にコネクタ嵌合部５Ｄ１を備えたつば部５Ｄと、を有する。
【００２７】
コネクタ５の本体部５Ａの基端側には、送気装置（不図示）から気体が供給される開口部である送気管口金（以下、送気口金と称す）５ａが設けられている。この送気口金５ａは、つば部５Ｄのコネクタ嵌合部５Ｄ１の先端面から該コネクタ５の挿入方向に突出するように設けられている。なお、この送気口金５ａは、ライトガイド５Ｂに並設されている。
【００２８】
コネクタ５の本体部５Ａの側部の一方側には、送水タンク（不図示）へ気体を送り送水タンク内を加圧するための開口部である加圧口金５ｂと、送水タンクから液体が供給される開口部である送水口金５ｃとが設けられている。
【００２９】
また、コネクタ５の本体部５Ａの側部の他方側には、吸引装置（不図示）により吸引力が付与される開口部である吸引口金５ｄと、送水タンクから液体が供給される開口部である副送水口金５ｅとが設けられている。
【００３０】
なお、加圧口金５ｂおよび送水口金５ｃと、吸引口金５ｄおよび副送水口金５ｅとは、本体部５Ａ上においてコネクタ５の中心軸Ｓに対して略１８０度の位置となるように配置されている。すなわち、各口金の開口の向きが中心軸Ｓに直交する方向であり、かつ該中心軸Ｓから離れる方向に向くように配置される。
【００３１】
図２は、このような構成のコネクタ５が後述するコネクタ接続部６に収納されるときの向きの状態を示しているが、この図２に示すコネクタ５を１８０度図中上方向に回転させると、図３に示すように吸引口金５ｄおよび副送水口金５ｅが本体部５Ａの真上に配置されるような状態となる。
【００３２】
なお、図３に示すように、副送水口金５ｅには、該副送水口金５ｅに被せて封止するための副送水口キャップ５ｅ１が着脱自在に設けられている。また、副送水口金５ｅの近傍には、該副送水口金５ｅを保護するための副送水口金ガード５ｘが設けられている。  
本実施形態において、コネクタ５の送気口金５ａ、加圧口金５ｂ、送水口金５ｃ、吸引口金５ｄ、および副送水口金５ｅは、洗浄消毒時、流体の注入口である。
【００３３】
次に、このような内視鏡２のコネクタ５を収納するコネクタ接続部６の構成、およびコネクタ接続部６と内視鏡洗浄消毒装置７との接続構成について、図１、図４〜図８を用いて説明する。
【００３４】
なお、図４は、図１のコネクタ接続部の外観構成を示し、蓋部を開いた状態を示す斜視図、図５は、図４のＡ矢印方向から見た場合のコネクタ接続部の構成を示す側面図、図６は、図４の蓋部を閉じた状態のコネクタ接続部の構成を示す側面図、図７は、図６のＶＩＩ−ＶＩＩ線断面図、図８は、図５のＶＩＩＩ−ＶＩＩＩ線断面図である。
【００３５】
本実施形態の内視鏡洗浄消毒システム１に用いられるコネクタ接続部６は、一端側が内視鏡洗浄消毒装置７に接続され、他端側が内視鏡２の内部に設けられた複数の管路２ｂａ、２ｂｂ、２ｂｃ、２ｂｄの開口である各口金５ａ〜５ｅにそれぞれ連通するように配置され、複数の管路の開口が設けられた部分を水密に覆う収納部９を有して構成される。
【００３６】
また、コネクタ接続部６の収納部９は、管路２ｂａ、２ｂｂ、２ｂｃ、２ｂｄの基端側であり内視鏡２のコネクタ５全体を水密に収納してコネクタ５に配置された開口である各口金５ａ〜５ｅに接続するように構成される。  
さらに、コネクタ接続部６の収納部９は、複数の管路の開口をそれぞれ水密に覆う複数の空間部９Ｂ〜９Ｅを有する。
【００３７】
具体的な構成を説明すると、図１、図４〜図６に示すように、コネクタ接続部６は、本体６Ａと、この本体６Ａにヒンジ等の接続部材６Ｃにより開閉自在な蓋部６Ｂとを有して構成される。なお、本体６Ａと蓋部６Ｂは、熱可塑性樹脂部材を用いて形成されており、熱可塑性樹脂部材としては、例えば、ポリサルフォン（Polysulphone：ＰＳＵ）、ポリフェニルサルホン（Polyphenylsulfone：ＰＰＳＵ）、あるいはポリカーボネート（PolyCarbonate：ＰＣ）等が用いられている。
【００３８】
蓋部６Ｂには、例えば、一対の爪部６Ｄａを有するロックレバー６Ｄが設けられ、本体６Ａにはロックレバー６Ｄの一対の爪部６Ｄａを係止するための一対の係止部６Ｄ１が設けられている。
【００３９】
この構成により、コネクタ接続部６は、蓋部６Ｂを閉じた際にロックレバー６Ｄの爪部６Ｄａを本体６Ａの係止部６Ｄ１に係止することで、後述するが内部の収納部９における水密状態を確保しつつ蓋部６Ｂを本体６Ａに閉じた状態でロックすることができるようになっている（図６参照）。
【００４０】
コネクタ接続部６の収納部９は、図１および図４に示すように、つば部収納部９Ａと、第１〜第５の空間部９Ｂ〜９Ｆと有し、第１〜第５の空間部９Ｂ〜９Ｆは、収納部９内で互いに水密的に区切られて構成されている。  
なお、つば部収納部９Ａは、水密に区切られた構成であってもなくてもよく、例えば、本体６Ａの底面側および蓋部６Ｂの上面側にそれぞれ開口を設けて構成してもよい。
【００４１】
図１に示すように、つば部収納部９Ａは、単にコネクタ５のつば部５Ｄを収納する収納部である。  
また、第１の空間部９Ｂは、内視鏡２の送気口金５ａから送気送水管路を構成する基端側送気チューブ２ｂａおよび基端側送水チューブ２ｂｂに洗浄消毒液を送液するための空間部であり送気口金５ａを収納する凹部である。
【００４２】
第２の空間部９Ｃは、内視鏡２送気口金５ａから送液された洗浄消毒液を、内視鏡２の加圧口金５ｂから送水口金５ｃに導くための空間部であり、加圧口金５ｂおよび送水口金５ｃを収納する凹部である。
【００４３】
第３の空間部９Ｄは、内視鏡２の吸引口金５ｄから基端側吸引チューブ２ｂｃに送液するための空間部であり、吸引口金５ｄを収納する凹部である。第４の空間部９Ｅは、内視鏡２の副送水口金５ｅから基端側副送水チューブ２ｂｄに送液するための空間部であり、副送水口金５ｅを収納する凹部である。また、第５の空間部９Ｆは、副送水口金ガード５ｘを収納する空間部である。
【００４４】
これら収納部９Ａ、および第１〜第５の空間部９Ｂ〜９Ｆの、コネクタ接続部６における配置位置を説明する。  
コネクタ接続部６の本体６Ａは、Ｌ字状に形成された筐体であり、水平方向に配置される本体部６ＡＡと、この本体部６ＡＡの片側から上方向に突出するように形成された側壁部６ＡＢと、を有する。
【００４５】
この本体６Ａの本体部６ＡＡには、側壁部６ＡＢ側から順にコネクタ５のつば部５Ｄを収納するつば部収納部９Ａと、第３の空間部９Ｄと、第５の空間部９Ｆと、第４の空間部９Ｅとが配置されている。
【００４６】
つば部収納部９Ａと、各空間部９Ｄ、９Ｆ、９Ｅとをそれぞれ構成する凹部は、図２で説明したコネクタ５のつば部５Ｄ、吸引口金５ｄ、副送水口金ガード５ｘ、および副送水口金５ｅの各形状に合わせて収納可能に形成されている。
【００４７】
なお、本体部６ＡＡの側壁部６ＡＢ側には、コネクタ５のつば部５Ｃに設けられたコネクタ嵌合部５Ｄ１を嵌入するための円弧状の溝６Ｂ１が形成されている。また、本体部６ＡＡの基端側には、コネクタ５の把持部５Ｃの先端側外周を嵌入するための円弧状の溝６Ｂ２が形成されている。
【００４８】
また、本体６Ａの側壁部６ＡＢには、溝６Ｂ１の位置に合わせて、第１の空間部９Ｂと、ライトガイド挿通部６Ａ１とが設けられている。これら第１の空間部９Ｂとライトガイド挿通部６Ａ１とは、コネクタ接続部６の長手方向に沿って並設されている。
【００４９】
なお、第１の空間部９Ｂは、図２で説明したコネクタ５の送気口金５ａの形状に合わせて収納可能に形成された凹部である。また、ライトガイド挿通部６Ａ１は、図２で説明したコネクタ５のライトガイド５Ｂの形状に合わせて挿通可能に形成された挿通孔である。
【００５０】
一方、コネクタ接続部６の蓋部６Ｂには、本体部６ＡＡの溝６Ｂ１に合わせて同じ円弧状の溝６Ｂ１が設けられている。また、蓋部６Ｂの基端側には、本体部６ＡＡの溝６Ｂ２に合わせて同じ円弧状の溝６Ｂ２が形成されている。
【００５１】
また、蓋部６Ｂには、先端側から順につば部収納部９Ａと、第２の空間部９Ｃとが配置されている。    
このつば部収納部９Ａは、図２で説明したコネクタ５のつば部５Ｄの形状に合わせて収納可能に形成された凹部である。また、第２の空間部９Ｃは、図２で説明した送水口金５ｃおよび加圧口金５ｂを同時に収納可能に形成された凹部である。
【００５２】
そして、第１〜第５の空間部９Ｂ〜９Ｆの縁部には、例えばシリコーンゴム等で形成されたシールド部１０Ｂ〜１０Ｅが設けられている。これらシールド部１０Ｂ〜１０Ｅは、蓋部６Ｂを本体６Ａに閉じた際に、ロックレバー６Ｄの爪部６Ｄａを本体６Ａの係止部６Ｄ１に係止してロックすることで、コネクタ５の本体部５Ａの表面、およびコネクタ嵌合部５Ｄ１の表面と密着して、各空間部９Ｂ〜９Ｆ内を水密に封止する。
【００５３】
なお、シールド部１０Ｂ〜１０Ｅは、例えば、図９（ａ）、図９（ｂ）に示すように、本体部６ＡＡ、側壁部６ＡＢおよび蓋部６Ｂのシールド部１０が設置される設置部１１Ａの表面を凹凸形状に形成する。
【００５４】
そして、シールド部１０Ｂ〜１０Ｅは、凸形状でかつシールド部１０の一部が挿通される挿通孔１１ｂを有する固定部１１Ｂを上からシールド部１０を挟み込むようにして被せて、例えば溶着により設置部１１Ａに固定することで本体部６ＡＡ、側壁部６ＡＢ、および蓋部６Ｂに設けてもよい。
【００５５】
また、シールド部１０Ｂ〜１０Ｅは、図１０に示すように設置部１１Ａの表面を凹部に形成し、この凹部内に嵌め込み接着して固定することで、本体部６ＡＡ、側壁部６ＡＢ、および蓋部６Ｂに設けてもよい。勿論、このような取付方法に限定するものではなく、シールド部１０Ｂ〜１０Ｅによって確実に各空間部９Ｂ〜９Ｅ内を水密に封止できるような取付方法であればよい。なお、図９（ａ）および図９（ｂ）は、シールド部の取付方法を説明する説明図、図１０は、シールド部の他の取付方法を説明する説明図を示している。
【００５６】
これらシールド部１０Ｂ〜１０Ｅの形状は、各空間部９Ｂ〜９Ｆの開口を囲むような円弧形状や四角形状などの形状で形成して固定することが望ましい。
【００５７】
次に、各空間部９Ｂ〜９Ｆと内視鏡洗浄消毒装置７との接続構成について説明する。  
図１および図７に示すように、第１の空間部９Ｂの基端側には、送気口金送液孔９Ｂ０を有する送気チューブ送液口金部９Ｂ１が設けられている。また、第３の空間部９Ｄの下部には、吸引口金送液孔９Ｄ２を有する吸引チューブ送液口金部９Ｄ１が設けられている。さらに、第４の空間部９Ｅの下部には、副送水送液孔９Ｅ２を有する副送水チューブ送液口金部９Ｅ１が設けられている。
【００５８】
そして、送気チューブ送液口金部９Ｂ１と吸引チューブ送液口金部９Ｄ１には、接続チューブ８ａがそれぞれ接続され、接続された２本の接続チューブ８ａは、途中で一本の接続チューブ８ａを形成して内視鏡洗浄消毒装置７の第１口金７ａに接続される。これにより、第１口金７ａは、接続チューブ８ａ、送気チューブ送液口金部９Ｂ１及び吸引チューブ送液口金ブ９Ｄ１を介して第１の空間部９Ｂ内及び第３の空間部９Ｄと連通することになる。
【００５９】
また、副送水チューブ送液口金部９Ｅ１には、接続チューブ８ｂが接続され、接続された接続チューブ８ｂは、内視鏡洗浄消毒装置７の第２口金７ｂに接続される。これにより、第２口金７ｂは、接続チューブ８ｂ、副送水チューブ送液口金部９Ｅ１を介して第４の空間部９Ｅ内と連通することになる。
【００６０】
なお、各送液口金部９Ｂ１、９Ｄ１、９Ｅ１は、例えば、図１１（ａ）、図１１（ｂ）に示すように、各空間部９Ｂ、９Ｄ、９Ｅ側の面に凸部を設け、これらの凸部を各空間部９Ｂ、９Ｄ、９Ｅの各接合面に設けられた凹部内に接合して例えば溶着することにより各空間部９Ｂ、９Ｄ、９Ｅに固定してもよい。
【００６１】
また、各送液口金部９Ｂ１、９Ｄ１、９Ｅ１は、例えば、図１２に示すように、各空間部９Ｂ、９Ｄ、９Ｅ側に設けられた凹部内に嵌入して例えば接着剤を用いて接着することにより各空間部９Ｂ、９Ｄ、９Ｅに固定してもよい。勿論、各送液口金部９Ｂ１、９Ｄ１、９Ｅ１の取付方法は、このような方法に限定されるものではない。なお、図１１は、各送液口金部の取り付け方法を説明する説明図、図１２は、各送液口金部の他の取り付け方法を説明する説明図を示している。
【００６２】
このような構成のコネクタ接続部６と接続チューブ８ａ、８ｂを介して接続される内視鏡洗浄消毒装置７は、使用済みの内視鏡２を洗浄、消毒するためのものであって、図示しない洗浄消毒タンクに貯留された洗浄消毒液を第１口金７ａおよび第２口金７ｂから送液するポンプ機能を有する。
【００６３】
なお、内視鏡洗浄消毒装置７は、洗浄消毒タンクを内蔵したものであってもよい。また、本実施形態では、洗浄消毒液を送液する内視鏡洗浄消毒装置７について説明したが、これに限定されるものではない。例えば、内視鏡２を、貯留した洗浄消毒液に浸漬させる洗浄槽を設け、挿入部２の先端部の開口（送気送水ノズル２ｄ、吸引口２ｅ、副送水ノズル２ｆ）から洗浄消毒液を吸引する吸引ポンプ機能を内視鏡洗浄消毒装置７に設けてもよい。
【００６４】
したがって、本実施形態の内視鏡洗浄消毒システム１では、内視鏡２のコネクタ５を、図１に示すようにコネクタ接続部６内に収納し、そして内視鏡洗浄消毒装置７を駆動することにより、図示しない洗浄消毒タンクからの洗浄消毒液は、第１口金７ａ、接続チューブ８ａを介して、送気チューブ送液口金部９Ｂ１、第１の空間部９Ｂ、送気口金５ａ、送気チューブ２ｂａへと送液される。
【００６５】
同時に、送気チューブ２ｂａからの洗浄消毒液は、加圧口金５ｂ、第２の空間部９Ｃ、送水口金５ｃを介して送水チューブ２ｂｂへと送液される。
【００６６】
同時に、洗浄消毒液は、第１口金７ａ、接続チューブ８ａを介して、吸引チューブ送液口金部９Ｄ１、第３の空間部９Ｄ、吸引口金５ｄ、基端側吸引チューブ２ｂｃへと送液される。
【００６７】
また、同時に、図示しない洗浄消毒タンクからの洗浄消毒液は、第２口金７ｂ、接続チューブ８ｂを介して、副送水チューブ送液口金部９Ｅ１、第４の空間部９Ｅ、副送水口金５ｅ、副送水チューブ２ｂｄへと送液される。
【００６８】
次に、上記構成のコネクタ接続部６への内視鏡２のコネクタ５の収納手順を、図１３〜図１６を用いて説明する。なお、図１３〜図１６は、コネクタ接続部に内視鏡のコネクタを収納する手順を説明する説明図である。
【００６９】
まず、使用者は、コネクタ接続部６の蓋部６Ｂを開いた状態で、図２に示す向きの状態のコネクタ５を、図１３の矢印Ａ方向に本体６Ａ内に移動させながら、本体６Ａの側壁部６ＡＢのライトガイド挿通部６Ａ１に、コネクタ５のライトガイド５Ｂを挿通させる。
【００７０】
そして、ライトガイド５Ｂをライトガイド挿通部６Ａ１に挿通した後、使用者は、図１４に示すように、コネクタ５のコネクタ嵌合部５Ｄ１から突出している送気口金５ａを、側壁部６ＡＢに第１の空間部９Ｂに収納させる。
【００７１】
その後、使用者は、その状態を保持しながら、図１５に示すように、図２に示す向きの状態のままコネクタ５の本体部５Ａの把持部５Ｃ側を、図１５中矢印Ｂ方向（下方向）に移動させて、該コネクタ５全体を本体部６ＡＡに載せる。  
このとき、コネクタ５のつば部５Ｄを、本体部６ＡＡのつば部収納部９Ａ内に、吸引口金５ｄを第３の空間部９Ｄ内に、さらに、副送水口金５ｅを第４の空間部９Ｅ内に収納させる。
【００７２】
この場合、コネクタ５のつば部５Ｄの基端側面を、つば部収納部９Ａの傾斜面９Ａ１に接触して位置決めすることで、正しく各口金５ｄ、５ｅを各空間部９Ｄ、９Ｅに収納することができるようになっている。  
そして、使用者は、その状態で、蓋部６Ｂを閉じ、ロックレバー６Ｄの爪部６Ｄａを本体６Ａの係止部６Ｄ１に係止することで該蓋部６Ｂロックする。
【００７３】
このとき、蓋部６Ｂを閉じた際に、コネクタ接続部６の本体部６Ａ及び蓋部６Ｂのつば部収納部９Ａの先端部側に形成される各傾斜面９Ａ１がコネクタ５のつば部５Ｄの先端部側側面と当接し図１６中Ｃ方向（基端側方向）へと押圧する。
【００７４】
すなわち、コネクタ５のコネクタ嵌合部５Ｄ１の基端面が第１の空間部９Ｂの開口近傍に設けられたシールド部１０Ｂを押圧することになる。これにより、第１の空間部９Ｂ内を水密に封止することができる。
【００７５】
なお、蓋部６Ｂを閉じた際には、つば部５Ｄが、蓋部６Ｂのつば部収納部９Ａに収納され、同時に、加圧口金５ｂおよび送水口金５ｃが第２の空間部９Ｃに収納される。
【００７６】
そして、蓋部６Ｂを閉じてロックレバー６Ｄによりロックすることにより、本体部６ＡＡおよび蓋部６Ｂに設けられた各シールド部１０Ｃ、１０Ｄ、１０Ｅがコネクタ５の本体部５Ａの外周面に当接し押圧する。これにより、第２の空間部９Ｃ、第３の空間部９Ｄ、および第４の空間部９Ｅをそれぞれ水密に封止することができる。
【００７７】
内視鏡２の各管路を洗浄消毒する場合、予めコネクタ接続部６の各送液口金部９Ｂ１、９Ｄ１、９Ｅ１には接続チューブ８ａ、８ｂが接続されているので、使用者は、図１６に示す状態のまま、内視鏡洗浄消毒装置７の図示しない駆動スイッチをオンするように操作すればよい。
【００７８】
内視鏡洗浄消毒装置７が駆動することにより、図示しない洗浄消毒タンクからの洗浄消毒液は、第１口金７ａ、接続チューブ８ａを介して、送気チューブ送液口金部９Ｂ１、第１の空間部９Ｂ、送気口金５ａ、送気チューブ２ｂａへと送液される。
【００７９】
同時に、送気チューブ２ｂａからの洗浄消毒液は、加圧口金５ｂ、第２の空間部９Ｃ、送水口金５ｃを介して送水チューブ２ｂｂへと送液される。
【００８０】
同時に、図示しない洗浄消毒タンクからの洗浄消毒液は、第１口金７ａ、接続チューブ８ａを介して、吸引チューブ送液口金部９Ｄ１、第３の空間部９Ｄ、吸引口金５ｄ、吸引チューブ２ｂｃへと送液される。
【００８１】
また、同時に、図示しない洗浄消毒タンクからの洗浄消毒液は、第２口金７ａ、接続チューブ８ａを介して、副送水チューブ送液口金部９Ｅ１、第４の空間部９Ｅ、副送水口金５ｅ、送水チューブ２ｂｄへと送液される。
【００８２】
すると、送気チューブ２ｂａおよび送水チューブ２ｂｂは、送気送水シリンダー３ａを介して送気チャンネル２ｃａ、送水チャンネル２ｃｂに連通している。このため、送液された洗浄消毒液は、送気送水ノズル２ｄから排出される。
【００８３】
また、吸引チューブ２ｂｃは、吸引シリンダー３ｂを介して吸引チャンネル２ｃｃに連通している。このため、送液された洗浄消毒液は、吸引口２ｅから排出される。  
さらに、副送水チューブ２ｂｄは、副送水チャンネル２ｃｄに連通している。このため、送液された洗浄消毒液は、副送水ノズル２ｆから排出される。  
こうして、内視鏡２の各管路内を洗浄消毒する。
【００８４】
以上、説明したように、本実施形態の内視鏡洗浄消毒システム１では、上記構成のコネクタ接続部６を設けたことにより、内視鏡２のコネクタ５をコネクタ接続部６内に収容しロックレバー６Ｄによりロックするといった１度の接続操作で、内視鏡洗浄消毒装置７により送液を行うための接続チューブ８ａ、８ｂとコネクタ接続部６内の各空間部９Ｂ〜９Ｅを介して内視鏡２内の各管路とを連通させることができる。
【００８５】
従って、第１の実施形態によれば、一度の接続操作で、複数の接続チューブ８ａ、８ｂを内視鏡２の各管路に連通するように接続することができる内視鏡洗浄消毒システム１を実現できる。
【００８６】
また、コネクタ接続部６の各空間部９Ｂ〜９Ｆは、それぞれシールド部１０Ｂ〜１０Ｅによって水密に封止されるので、内視鏡洗浄消毒装置７からの洗浄消毒液を確実に内視鏡２の各管路内に送液することができる。
【００８７】
（第２の実施形態）
図１７〜図２３は、本発明の第２の実施形態に係り、図１７は、第２の実施形態に係る内視鏡洗浄消毒システムに用いられる内視鏡のコネクタの構成を示す斜視図、図１８は、図１７のコネクタの側面図である。なお、図１７〜図２３は、第１の実施形態の内視鏡洗浄消毒システム１と同様な構成要素については同一の符号を付して説明を省略し、異なる部分のみを説明する。
【００８８】
本実施形態に係る内視鏡洗浄消毒システム１は、第１の実施形態の内視鏡２のコネクタ５とは異なるタイプのコネクタ５０を用いた場合でも、このコネクタ５０を収納して内視鏡２内の各管路に連通させることができるコネクタ接続部６を備えて構成している。
【００８９】
まず、本実施形態に係る内視鏡洗浄消毒システム１に用いられる内視鏡２のコネクタ５０の構成について図１７および図１８を用いて説明する。  
図１７および図１８に示すように、内視鏡２のコネクタ５０は、図２に示す第１の実施形態のコネクタ５とは本体部５Ａの形状、ライトガイド５Ｂと送気口金５ａとの配置などが異なり、新たに電気コネクタ５ｙが設けられている。
【００９０】
コネクタ５０の本体部５Ａは、図２に示すつば部５Ｄに替えて電気コネクタ部５Ｙを有する。この電気コネクタ部５Ｙは、本体部５Ａ上の把持部５Ｃと、コネクタ嵌合部５Ｄ１との間に配置されている。電気コネクタ部５Ｙは、ライトガイド５Ｂの中心軸Ｓに対して直交する方向に配置されて円柱形状に形成され、上部側に電気コネクタ５ｙが設けられている。  
また、コネクタ５０の本体部５Ａの上部には、吸引口金５ｄと、副送水口金５ｅとが設けられている。また、副送水口金５ｅには、副送水口キャップ５ｅ１が着脱自在に設けられ、副送水口金５ｅの近傍には、副送水口金ガード５ｘが設けられている。一方、本体部５Ａの下部には、加圧口金５ｂと、送水口金５ｃとが設けられている。すなわち、各口金の配置は、図２に示す第１の実施形態のコネクタ５とは逆側に配置されている。
【００９１】
さらに、コネクタ嵌合部５Ｄ１の先端面から挿入方向に突出するように設けられたライトガイド５Ｂは、コネクタ嵌合部５Ｄ１の図１７中手前方向に配置されており、送気口金５ａはこのライトガイド５Ｂの奥に並設されている。
【００９２】
また、このような構成のコネクタ５０をコネクタ接続部６に収納して内視鏡２の洗浄消毒を行う場合、電気コネクタ部５Ｙの電気コネクタ５ｙには、図１８に示すように防水キャップ５Ｚが取り付けられるようになっている。この防水キャップ５Ｚには、内部と連通可能な口金５Ｚ１が設けられている。  
なお、コネクタ５０の各口金５ａ〜５ｅに連通する内部管路の構成は、第１の実施形態のコネクタ５と同様である（図２０参照）。また、このコネクタ５０は、図１８に示すような向きの状態で、後述するコネクタ接続部６に収納される。
【００９３】
次に、このような構成の内視鏡２のコネクタ５０を収納するコネクタ接続部６の構成について図１９および図２０を用いて説明する。  
図１９は、第２の実施形態に係る内視鏡洗浄消毒システムに用いられるコネクタ接続部の外観構成を示し、蓋部を開いた状態を示す斜視図、図２０は、コネクタを収納して蓋部を閉じた状態のコネクタ接続部およびコネクタの内部構成を示す断面図である。
【００９４】
本実施形態のコネクタ接続部６Ｚは、第１の実施形態のコネクタ接続部６の略同様に構成されているが、図１７に示すコネクタ５０の形状に合わせて形成されている。  
すなわち、図１９に示すように、コネクタ接続部６Ｚの本体６Ａの本体部６ＡＡには、コネクタ５０の本体部５Ａを収納する本体収納部６ＡＣと、第２の空間部９Ｃと、電気コネクタ部収納部９ＡＡとが設けられている。
【００９５】
本体収納部６ＡＣは、コネクタ５０の本体部５Ａの形状に合わせて円弧状に形成された凹部である。また、電気コネクタ部収納部９ＡＡは、第１の実施形態のコネクタ接続部６のつば部収納部９Ａ（図４参照）とは形状が異なる。
【００９６】
また、本体６Ａの側壁部６ＡＢには、コネクタ５０のライトガイド５Ｂおよび送気口金５ａの位置に合わせてライトガイド挿通部６Ａ１および第１の空間部９Ｂが設けられている。なお、本実施形態では、ライトガイド挿通部６Ａ１および第１の空間部９Ｂの位置は、第１の実施形態のコネクタ接続部６（図４参照）とは異なり、ライトガイド挿通部６Ａ１が図１９中手前側に、第１の空間部９Ｂがこのライトガイド挿通部６Ａ１の奥側に配されている。
【００９７】
一方、コネクタ接続部６Ｚの蓋部６Ｂには、電気コネクタ部収納部９ＡＡと、第３の空間部９Ｄと、第５の空間部９Ｆと、第４の空間部９Ｅとが設けられている。  
なお、各空間部９Ｂ〜９Ｅの周囲には、前記第１の実施形態と同様にシールド部１０Ｂ〜１０Ｅが設けられている。  
その他のコネクタ接続部６Ｚの構成は、前記第１の実施形態のコネクタ６（図４参照）と同様である。
【００９８】
従って、このようにコネクタ接続部６Ｚを構成することにより、内視鏡２のコネクタ５０を収納した場合には、図２０に示すように、コネクタ５０の本体部５Ａを収納すると同時に、コネクタ５０の各口金５ａ〜５ｅを水密に各空間部９Ｂ〜９Ｅに収納することができる。
【００９９】
そして、図示はしないがコネクタ接続部６Ｚの各送液口金部９Ｂ１、９Ｄ１、９Ｅ１は、各空間部９Ｂ〜９Ｅを介してコネクタ５０内の各管路に連通することができる。なお、図２０中矢印は、各送液口金部から洗浄消毒液が送液される向きを示している。
【０１００】
次に、上記構成のコネクタ接続部６Ｚへの内視鏡２のコネクタ５０の収納手順を、図２１〜図２３を用いて説明する。なお、図２１〜図２３は、コネクタ接続部に内視鏡のコネクタを収納する手順を説明する説明図である。
【０１０１】
まず、使用者は、コネクタ接続部６の蓋部６Ｂを開いた状態で、図１８に示す向きの状態のコネクタ５０を、図２１の矢印Ａ方向に本体６Ａ内に移動させながら、本体６Ａの側壁部６ＡＢのライトガイド挿通部６Ａ１に、コネクタ５０のライトガイド５Ｂを挿通させる。
【０１０２】
そして、ライトガイド５Ｂをライトガイド挿通部６Ａ１に挿通した後、使用者は、図２１に示すように、コネクタ５０のコネクタ嵌合部５Ｄ１から突出している送気口金５ａを、側壁部６ＡＢに第１の空間部９Ｂに収納させる。
【０１０３】
その後、使用者は、その状態を保持しながら、図２２に示すように、図１８に示す向きの状態のままコネクタ５０の本体部５Ａの把持部５Ｃ側を、図２２中矢印Ｂ方向（下方向）に移動させて、本体部５Ａを本体収納部６ＡＣに収容して該コネクタ５０全体を本体部６ＡＡに載せる。  
このとき、コネクタ５０の電気コネクタ部５Ｙを、本体部６ＡＡの電気コネクタ部収納部９ＡＡ内に、加圧口金５ｂおよび送水口金５ｃを第２の空間部９Ｃに収納させる。
【０１０４】
この場合、コネクタ５０の電気コネクタ部５Ｙの先端側面を、電気コネクタ部収納部９ＡＡの傾斜面９Ａ１に接触して位置決めすることで、正しく各口金５ｂ、５ｃを収納部９Ｃに収納することができるようになっている。
【０１０５】
そして、使用者は、その状態で、蓋部６Ｂを閉じ、ロックレバー６Ｄの爪部６Ｄａを本体６Ａの係止部６Ｄ１に係止することで該蓋部６Ｂをロックする。
【０１０６】
このとき、蓋部６Ｂを閉じた際に、コネクタ接続部６Ｚの本体部６Ａの電気コネクタ部収納部９ＡＡの先端側に形成される傾斜面９Ａ１が電気コネクタ部５Ｙの先端側面と当接し図２３中Ｃ方向（基端側方向）へと押圧する。すなわち、コネクタ５０のコネクタ嵌合部５Ｄ１の先端面が第１の空間部９Ｂの開口近傍に設けられたシールド部１０Ｂを押圧することになる。これにより、第１の空間部９Ｂ内を水密に封止することができる。
【０１０７】
なお、蓋部６Ｂを閉じた際には、電気コネクタ部５Ｙが、蓋部６Ｂの電気コネクタ部収納部９ＡＡに収納され、同時に、吸引口金５ｄが第３の空間部９Ｄ内に、さらに、副送水口金５ｅが第４の空間部９Ｅ内に収納される。
【０１０８】
そして、蓋部６Ｂを閉じてロックレバー６Ｄによりロックすることにより、本体部６ＡＡおよび蓋部６Ｂに設けられた各シールド部１０Ｃ、１０Ｄ、１０Ｅがコネクタ５の本体部５Ａの外周面に当接し押圧する。これにより、第２の空間部９Ｃ、第３の空間部９Ｄ、および第４の空間部９Ｅをそれぞれ水密に封止することができる。
【０１０９】
内視鏡２の各管路を洗浄消毒する場合、予めコネクタ接続部６の各送液口金部９Ｂ１、９Ｄ１、９Ｅ１には接続チューブ８ａ、８ｂが接続されているので、使用者は、図２３に示す状態のまま、内視鏡洗浄消毒装置７の図示しない駆動スイッチをオンするように操作すればよい。
【０１１０】
内視鏡洗浄消毒装置７が駆動することにより、図示しない洗浄消毒タンクからの洗浄消毒液は、前記第１の実施形態と同様に、第１口金７ａ、接続チューブ８ａを介して、送気チューブ送液口金部９Ｂ１、第１の空間部９Ｂ、送気口金５ａ、送気チューブ２ｂａへと送液される。
【０１１１】
同時に、送気チューブ２ｂａからの洗浄消毒液は、加圧口金５ｂ、第２の空間部９Ｃ、送水口金５ｃを介して送水チューブ２ｂｂへと送液される。
【０１１２】
同時に、図示しない洗浄消毒タンクからの洗浄消毒液は、第１口金７ａ、接続チューブ８ａを介して、吸引チューブ送液口金部９Ｄ１、第３の空間部９Ｄ、吸引口金５ｄ、吸引チューブ２ｂｃへと送液される。
【０１１３】
また、同時に、図示しない洗浄消毒タンクからの洗浄消毒液は、第２口金７ｂ、接続チューブ８ｂを介して、副送水チューブ送液口金部９Ｅ１、第４の空間部９Ｅ、副送水口金５ｅ、副送水チューブ２ｂｄへと送液される。
【０１１４】
すると、送気チューブ２ｂａおよび送水チューブ２ｂｂは、送気送水シリンダー３ａを介して送気チャンネル２ｃａ、送水チャンネル２ｃｂに連通している。このため、送液された洗浄消毒液は、送気送水ノズル２ｄから排出される。
【０１１５】
また、吸引チューブ２ｂｃは、吸引シリンダー３ｂを介して吸引チャンネル２ｃｃに連通している。このため、送液された洗浄消毒液は、吸引口２ｅから排出される。  
さらに、副送水チューブ２ｂｄは、副送水チャンネル２ｃｄに連通している。このため、送液された洗浄消毒液は、副送水ノズル２ｆから排出される。  
こうして、内視鏡２の各管路内を洗浄消毒する。
【０１１６】
従って、第２の実施形態によれば、第１の実施形態とは異なるタイプの内視鏡２のコネクタ５０を用いた場合でも、上記構成のコネクタ接続部６Ｚを設けることにより、第１の実施形態と同様に、一度の接続操作で、複数の接続チューブ８ａ、８ｂを内視鏡２の各管路に連通するように接続することができる内視鏡洗浄消毒システム１を実現できる。
【０１１７】
（第３の実施形態）
図２４は、本発明の第３の実施形態に係る内視鏡洗浄消毒システムに用いられるコネクタ接続部の構成を示す断面図である。なお、図２４は、第１の実施形態の装置と同様な構成要素については同一の符号を付して説明を省略し、異なる部分のみを説明する。
【０１１８】
図２４に示すように、本実施形態の内視鏡洗浄消毒システム１は、先端接続部６０を有する。この先端接続部６０は、内視鏡２内の内部管路の開口が設けられた部分を水密に覆う収納部６０Ａを有している。
【０１１９】
この先端接続部６０の収納部６０Ａは、内視鏡２の内部管路である送気チャンネル２ｃａ、送水チャンネル２ｃｂおよび副送水チャンネル２ｃｄ（図１参照）の先端側でありこれら内部管路の開口が設けられた挿入部２ｃの先端部２ｍを水密に覆って先端部２ｍに配置された開口に連通するように配置される。  
なお、内部管路の開口とは、図１に示すように、送気送水ノズル２ｄ、吸引口２ｅ、および副送水ノズル２ｆである。また、収納部６０Ａは、これら複数の開口を水密に覆う１つの空間部を構成している。
【０１２０】
さらに具体的な構成を示すと、先端接続部６０は、収納部６０Ａを有する内視鏡側口金６０ａと、この内視鏡側口金に固定されるポンプ側口金６０ｂとを有して構成される。  
この内視鏡側口金６０ａは、例えば、シリコーンゴム等の弾性部材を用いて構成され、先端部側に向かって径が段階的に大きくなるように形成された複数の段差部が設けられている。従って、内視鏡２の機種により先端部２ｃａの径の太さが変わっても、確実に内視鏡側口金６０ａを先端部２ｃａに装着することができる。
【０１２１】
また、ポンプ側口金６０ｂには、図示はしないが内視鏡洗浄消毒装置７に接続される接続チューブが接続されるようになっている。
【０１２２】
本実施形態においては、内視鏡洗浄消毒装置７（図１参照）は、第１の実施形態とは異なり、吸引ポンプを有しており、この吸引ポンプを駆動することにより、接続チューブ、先端部接続部６０のポンプ側口金６０ｂ、収納部６０Ａを介して、先端部２ｍの先端面に設けられた開口（送気送水ノズル２ｄ、吸引口２ｅ、および副送水ノズル２ｆ）から吸引を行う。
【０１２３】
内視鏡２の洗浄消毒を行う場合、図示はしないが、内視鏡２のコネクタ５は、洗浄消毒液が貯留される洗浄消毒槽内に浸漬される。これにより、洗浄消毒槽の洗浄消毒液は、コネクタ５の各口金を介して内部管路内に吸引され、そして、先端部２ｍの各開口、先端部接続部６０、接続チューブ、内視鏡洗浄消毒装置７を介して外部へと排出される。
【０１２４】
従って、第３の実施形態によれば、内視鏡洗浄消毒装置７により洗浄消毒液を吸引して内視鏡２内の各管路の洗浄消毒を行う場合に、上記構成の先端部接続部６０を用いることで、第１の実施形態と同様に、一度の接続操作で、接続チューブを内視鏡２の各管路に連通するように接続することができる内視鏡洗浄消毒システム１を実現できる。
【０１２５】
なお、先端部接続部６０の内視鏡側口金６０ａは、図２４に示す形状に限定されるものではなく、例えば、内視鏡２の機種に応じた大小径の異なる複数種の内視鏡側口金を構成してもよい。
【０１２６】
ところで、内視鏡２は、図１に示す内視鏡洗浄消毒装置７およびコネクタ接続部６を用いずに、内視鏡２の洗浄消毒を自動的に行う内視鏡自動洗浄消毒装置を用いて洗浄を行う場合がある。
【０１２７】
このような場合、内視鏡２のコネクタ５を洗浄槽内に収容するとともに、各口金に内視鏡自動洗浄消毒装置からの接続チューブを接続することになる。  
ところが、図２５に示すように、コネクタ５の本体部５Ａにおいて、吸引口金５ｄと副送水口金５ｅとが、送水口金５ｃと加圧口金５ｂとに対して略１８０度上下異なる位置に配置されていると、各口金に接続された接続チューブが洗浄消毒槽の内壁に当接して、収容位置によっては接続チューブが座屈してしまう虞れがある。
【０１２８】
本変形例の内視鏡２のコネクタ５０Ｘは、このように接続チューブが座屈することなく、円滑に接続チューブを各口金に接続することができる。このような変形例１を図２５、および図２６に示す。
【０１２９】
（変形例１）
図２５は、変形例１に係る内視鏡のコネクタの外観構成を示す図、図２６は、図２５に示す内視鏡コネクタの各口金に接続チューブを接続した状態を示す図である。
【０１３０】
変形例１に係る内視鏡２のコネクタ５０Ｘは、第１の実施形態のコネクタ接続部６を用いて洗浄消毒する場合、図２５に示すように前記第１の実施形態同様に各口金の位置はそのままの状態でコネクタ接続部６に収納される。
【０１３１】
一方、内視鏡自動洗浄消毒装置に接続して内視鏡２を洗浄消毒行う場合、図２５に示すような各口金の位置だと、上述したような接続した接続チューブが座屈してしまう虞がある。
【０１３２】
そこで、本変形例１のコネクタ５０Ｘの本体部５Ａは、加圧口金５ｂおよび送水口金５ｃの位置はそのままで、吸引口金５ｄおよび副送水口金５ｅの位置を変更可能な回転本体部５Ａ１を有している。
【０１３３】
この回転本体部５Ａ１は、ライトガイド５Ｂの挿入方向に対して直交する方向に回転可能であり、所望の回転位置で係止することができるようになっている。すなわち、この回転本体部５Ａ１を図中に示す回転方向に回転することにより、例えば、図２５に示すように、本体部５Ａの側面部に吸引口金５ｄおよび副送水口金５ｅを配置して固定することができる。
【０１３４】
このような構成により、実際に各口金に接続チューブ８０ａ〜ｃをそれぞれ接続して内視鏡自動洗浄消毒装置の洗浄消毒装置に収容した場合に、図２６に示しように、吸引口金５ｄおよび副送水口金５ｅに接続される接続チューブ８０ａ、８０ｂは、洗浄消毒槽１００の内壁に当接しないので座屈することもない。
【０１３５】
従って、内視鏡自動洗浄消毒装置による内視鏡２の洗浄消毒工程を通常通り行うことができ、内視鏡２を確実に洗浄消毒することができる。
【０１３６】
なお、コネクタ５０Ｘの回転本体部５Ａ１内部の各口金に連通する内部管路は、勿論、回転動作しても塞がらないように構成されている。また、回転本体部５Ａ１の回転機構および回転ロック機構については、特に限定されるものではない。
【０１３７】
（変形例２）
内視鏡２のコネクタ５の各口金５ａ〜５ｅに接続する接続チューブおよび接続口金は、安全性を考慮してディスポ製品として構成される場合がある。このような場合、ディスポ製品である接続チューブおよび接続口金を再利用出来ないように構成することが望ましい。
【０１３８】
そこで、本変形例２では、ディスポ製品である接続チューブおよび接続口金を再利用出来ないように構成した。このような変形例２を図２７〜図３０を用いて説明する。  
なお、図２７は、内視鏡のコネクタに設けられた口金の構成を示す側面図、図２８は、図２７に示す口金に接続される洗浄具接続口金の構成を示す斜視図、図２９は、図２７に示す口金に図２８に示す洗浄具接続口金を取り付けた状態を示す断面図、図３０は、図２９に示す状態から取り外した状態の洗浄具接続口金を示す斜視図である。
【０１３９】
内視鏡２のコネクタ５の各口金５ａ〜５ｅは、図２７に示すような形状のディスポ用口金８１として構成する。このディスポ用口金８１は、上部の開口部からコネクタ５の本体部５Ａに向けて径が大きくなるように形成された口金部８Ａ１を有する。
【０１４０】
この口金部８Ａ１は、本体部５Ａの内部管路に連通する管部８１Ｂの上部に設けられている。また、この口金部８Ａ１の下部の外周には、少なくとも２コの爪部８１ａが形成されている。
【０１４１】
また、管部８１Ｂの中腹部には、前記爪部８１ａの位置に合わせて他の爪部９１ｂが少なくとも２コ設けられている。
【０１４２】
一方、ディスポ用口金８１に接続するディスポ製品である洗浄具接続口金８２は、図２８に示すように、ディスポ用口金８１に嵌合する太径で円筒状の第１の接続部３２ｂと、この第１の接続部３２ｂに延設され、図示しない接続チューブが接続される、第１の接続部３２ｂよりも細径で円筒状の第２の接続部３２ａとを有する。
【０１４３】
そして、この洗浄具接続口金８２の第１の接続部３２ｂの外周上には、ディスポ用口金８１の爪部８１ａ、８１ｂの位置に合わせて少なくとも４つの係合溝８３が形成されている。なお、図２８中において、第１の接続部３２ｂの第２の接続部３２ａ側の係合溝８３は、爪部８１ａと係合し、先端側の係合溝８３は、爪部８１ｂと係合するように構成されている。
【０１４４】
次に、本変形例２のディスポ用口金８１および洗浄具接続口金８２の作用につついて図２９および図３０を用いて説明する。
【０１４５】
図２８に示す洗浄具接続口金８２を、図２７に示すディスポ用口金８１に装着すると、洗浄具接続口金８２は、図２９に示すような状態でディスポ用口金８１に嵌合される。
【０１４６】
このとき、洗浄具接続口金８２は、図２９中に示すＤ矢印方向、すなわち、本体部５Ａの面に直交する方向の真上からディスポ用口金８１に嵌合する。すると、洗浄具接続口金８２の先端側の係合溝８３には、ディスポ用口金８１の管部８１Ｂに設けられた爪部８１ｂが係合し、同時に他の係合溝８３にはディスポ用口金８１の口金部８Ａ１に設けられた爪部８１ａが係合される。こうして、洗浄具接続口金８２は、ディスポ用口金８２に水密に接続される。
【０１４７】
そして、ディスポ製品である洗浄具接続口金８２をディスポ用口金８Ａから取り外す場合、使用者は、洗浄具接続口金８２を、本体部５Ａ図２９中に示すＤ矢印方向、すなわち、本体部５Ａの面に直交する方向で本体部５Ａから離れる方向（図３０に示すＵ矢印方向）にディスポ用口金８１から引き抜く。
【０１４８】
すると、洗浄具接続口金８２は、作業者によるその引き抜く力に伴い、係合しているディスポ用口金８１の爪部８１ａ、８１ｂによって第１の接続部３２ｂにおける係合溝８３が、例えば、図３０に示すように破壊される。このため、洗浄具接続口金８２の再利用を防止することができる。なお、爪部８１ａ，８１ｂは、どちらか一方のみがディスポ用口金８１に設けられていれば良い。
【０１４９】
ところで、本発明の内視鏡洗浄消毒システム１は、第１の実施形態のコネクタ接続部６を用いずに、改良した内視鏡洗浄消毒装置９０の送液口を内視鏡２のコネクタ５の各口金５ａ〜５ｅに直接接続して、内視鏡２の内部管路の洗浄消毒を行うことができる。このような変形例３〜５を図３１〜図３４に示す。
【０１５０】
（変形例３）
図３１は、変形例３に係る内視鏡洗浄消毒装置の構成を示す断面図である。  
変形例３に係る内視鏡洗浄消毒装置９０は、従来内視鏡２のコネクタ５の各口金５ａ〜５ｅに順次接続して内視鏡２の内部管路の洗浄消毒を行うシリンジタイプの装置を用いて改良したものである。
【０１５１】
図３１に示すように、内視鏡洗浄消毒装置９０は、本体９０Ａと、この本体９０Ａ内に、長手方向（挿入方向Ｓ）に進退自在に設けられ、先端側に送液口金９１を有する口金部９０Ｂと、本体９０Ａの基端側に取り付けられ、内部に吸引ポンプ９４を備えた駆動部９０Ｃとを有する。  
なお、口金９１の開口と駆動部９０Ｃに設けられた吸引口金９５との間は、内部管路９０ａを介して連通している。
【０１５２】
また、本体９０Ａの先端側の孔の内周面には、段差部が設けられており、この段差部には、駆動部９０Ｃ内の図示しない制御部に電気的に接続された電気接点９２ｂが設けられている。また、この本体９０Ａの孔に挿通される口金部９０Ｂの基端側には段差部が設けられ、この段差部には上記同様に前記制御部に電気的に接続される電気接点９２ａが設けられている。  
すなわち、２つの電気接点９２ａ、９２ｂは、駆動部９０Ｃ内の吸引ポンプ９４の駆動をオンまたはオフするためのスイッチである。
【０１５３】
さらに、口金部９０Ｂの中腹部と、本体９０Ａの先端面との間には、該口金部９０Ｂを挿入方向とは逆方向に付勢すねためのばね９３が取り付けられている。したがって、このばね９３と２つの電気接点９２ａ、９２ｂとは、いわゆるばねスイッチとして構成している。  
なお、駆動部９０Ｃの背面側に設けられた吸引口金９５には、図示はしないが洗浄消毒タンクに接続された接続チューブが接続されるようになっている。
【０１５４】
このような構成の内視鏡洗浄消毒装置９０を用いて内視鏡２の内部管路の洗浄消毒を行う場合、使用者は、内視鏡洗浄消毒装置９０の送液口金９１を、コネクタ５の口金１００（口金５ａ〜５ｅに相当）に嵌入して接続する。
【０１５５】
すると、図３２に示すように、送液口金９１は先細形状に形成されているので、ある程度口金１００の奥まで嵌入すると、嵌入位置が固定されるため、さらに本体９０Ａを押し続けることにより、本体９０Ａが挿入方向Ｓに移動することになる。このため、口金部９０Ｂの電気接点９２ａと本体部９０Ａの電気接点９２ｂとが接触してオンすることで、駆動部９０Ｃ内の制御部は、吸引ポンプ９４を駆動させる。
【０１５６】
吸引ポンプ９４が駆動することで、吸引ポンプ９４は、図示しない洗浄消毒タンクから図示しない接続チューブ、吸引口金９５、内部管路９５へと洗浄消毒液を吸引し、その後、送液口金９１から口金１００に連通する内部管路へと送液する。
【０１５７】
また、洗浄消毒工程を完了した場合には、本体部９０Ａの挿入方向Ｓへの押す操作を止めれば、本体部９０Ａはばね９３による付勢力により挿入方向Ｓとは逆方向に移動することで、電気接点９２ｂと電気接点９２ａとが離れ、吸引ポンプ９４の駆動が停止される。
【０１５８】
したがって、このような変形例３の内視鏡洗浄消毒装置９０を用いることで、従来用いていたシリンジでの洗浄消毒工程よりも簡単に内視鏡２の内部管路の洗浄消毒を行うことができる。
【０１５９】
（変形例４）
図３３は、変形例４に係る内視鏡洗浄消毒装置の構成を示す断面図である。  
変形例４に係る内視鏡洗浄消毒装置９０Ｘは、図３１に示す変形例３の内視鏡洗浄消毒装置９０と略同様に構成されているが、図３３に示すように、口金部９０Ｂの送液口金９１の形状が異なる。
【０１６０】
すなわち、送液口金９１は、コネクタ５の口金１００ａが図３１に示す口金１００よりも細径である場合に対応して構成されたもので、口金１００ａを嵌合する凹部９１ａを備えた嵌合部９Ａ１を有して構成される。
【０１６１】
なお、この送液口金９１は、接続する口金１００ａの種類に応じて凹部９１ａの開口径が異なる複数の種類のものを構成してもよい。また、口金１００ａと送液口金９１とを密着させるために、送液口金９１の凹部９１ａ内にＯリングなどのシールド部材を設けて構成してもよい。
【０１６２】
このような構成の変形例４における内視鏡洗浄消毒装置９０Ｘを用いれば、内視鏡２のコネクタ５の各口金が細径の口金であったとしても、確実に送液口金９１を接続することができる。
【０１６３】
（変形例５）
図３４は、変形例５に係る内視鏡洗浄消毒装置の構成を示す断面図である。  
変形例５に係る内視鏡洗浄消毒装置９０Ｙは、図３１に示す変形例３の内視鏡洗浄消毒装置９０と略同様に構成されているが、図３４に示すように、吸引ポンプ９４を有する駆動部９０Ｃを本体９０Ａから切り離して構成している。  
すなわち、内視鏡２のコネクタ５の口金１００ａが細径の口金であると、極力内視鏡洗浄消毒装置９０自体の重みを軽減して、作業性を向上させることが望ましい。
【０１６４】
したがって、変形例５の内視鏡洗浄消毒装置９０Ｙは、図３１に示す駆動部９０Ｃを取り外すとともに、口金部９０Ｂの基端側に吸引口金９５を設け、この吸引口金９５に接続チューブ９６を介して、外部に配置された吸引ポンプ９４と接続する構成である。    
なお、この吸引ポンプ９７の基端側には、吸引口金９７が設けられておりこの吸引口金９７には、図示しない洗浄消毒タンクからの接続チューブが接続される。また、２つの電気接点９２ａ、９２ｂのオンまたはオフによって吸引ポンプ９４の駆動を制御する図示しない制御部は、本体９０Ａ内、あるいは吸引ポンプ９４内に設けて構成すればよい。
【０１６５】
従って、このような構成の変形例５における内視鏡洗浄消毒装置９０Ｙを用いれば、内視鏡２のコネクタ５の各口金が細径の口金であったとしても、確実に送液口金９１を接続することができることは勿論、駆動部９０Ｃが本体９０Ａから切り離されて軽量であることから、洗浄消毒時における本体９０Ａを用いた操作を円滑に行えるといった効果がある。  
勿論、図３４に示す内視鏡洗浄消毒装置９０Ｙは、コネクタ５の口金１００ａが細径でなくても太径の口金１００であっても適用することができる。
【０１６６】
なお、変形例３〜５においては、内視鏡２のコネクタ５の各口金１００、１００ａに洗浄消毒液を送液して内視鏡２の内部管路の洗浄消毒を行うように説明したが、これに限定されるものではなく、内視鏡２の各口金１００、１００ａから吸引して、先端部の開口から洗浄消毒液を内視鏡２の内部管路に供給するように構成してもよい。
【０１６７】
本発明は、上述した実施形態及び変形例に限定されるものではなく、本発明の要旨を変えない範囲において、種々の変更、改変等が可能である。
【符号の説明】
【０１６８】
１…内視鏡洗浄消毒システム
２…内視鏡
２ａ…操作部
２ｂ…ユニバーサルコード部
２ｂａ…送気チューブ
２ｂｂ…送水チューブ
２ｂｃ…吸引チューブ
２ｂｄ…副送水チューブ
２ｃ…挿入部
２ｃａ…送気チャンネル
２ｃｂ…送水チャンネル
２ｃｃ…吸引チャンネル
２ｃｄ…副送水チャンネル
２ｄ…送気送水ノズル
２ｅ…吸引口
２ｆ…副送水ノズル
３ａ…送気送水シリンダー
３ｂ…吸引シリンダー
３ｃ…鉗子口部
３ｃ１…鉗子口金
３ｃｃ…処置具チャンネル
４…栓体
４Ａ…内視鏡用洗浄アダプタ
５…コネクタ
５Ａ…本体部
５Ｂ…ライトガイド
５Ｃ…把持部
５Ｄ１…コネクタ嵌合部
５Ｙ…電気コネクタ部
５Ｚ…防水キャップ
５ａ…送気口金
５ｂ…加圧口金
５ｃ…送水口金
５ｄ…吸引口金
５ｅ…副送水口金
５ｅ１…副送水口キャップ
５ｘ…副送水口金ガード
５ｙ…電気コネクタ
６…コネクタ接続部
６Ａ…本体
６Ａ１…ライトガイド挿通部
６ＡＡ…本体部
６ＡＢ…側壁部
６Ｂ…蓋部
６Ｂ１…溝
６Ｂ２…溝
６Ｃ…接続部材
６Ｄ…ロックレバー
６Ｄ１…係止部
６Ｄａ…爪部
７…内視鏡洗浄消毒装置
７ａ…第１口金
７ｂ…第２口金
８ａ…接続チューブ
８ｂ…接続チューブ
９…収納部
９Ａ…つば部収納部
９Ａ１…傾斜部
９Ｂ…第１の空間部
９Ｂ１…送気チューブ送液口金部
９Ｃ…第２の空間部
９Ｄ…第３の空間部
９Ｄ１…吸引チューブ送液口金部
９Ｅ…第４の空間部
９Ｅ１…副送水チューブ送液口金部
９Ｆ…第５の空間部
１０、１０Ｂ〜１０Ｅ …シールド部
【図１】
2014057637.tif 000003
【図２】
2014057637.tif 000004
【図３】
2014057637.tif 000005
【図４】
2014057637.tif 000006
【図５】
2014057637.tif 000007
【図６】
2014057637.tif 000008
【図７】
2014057637.tif 000009
【図８】
2014057637.tif 000010
【図９】
2014057637.tif 000011
【図１０】
2014057637.tif 000012
【図１１】
2014057637.tif 000013
【図１２】
2014057637.tif 000014
【図１３】
2014057637.tif 000015
【図１４】
2014057637.tif 000016
【図１５】
2014057637.tif 000017
【図１６】
2014057637.tif 000018
【図１７】
2014057637.tif 000019
【図１８】
2014057637.tif 000020
【図１９】
2014057637.tif 000021
【図２０】
2014057637.tif 000022
【図２１】
2014057637.tif 000023
【図２２】
2014057637.tif 000024
【図２３】
2014057637.tif 000025
【図２４】
2014057637.tif 000026
【図２５】
2014057637.tif 000027
【図２６】
2014057637.tif 000028
【図２７】
2014057637.tif 000029
【図２８】
2014057637.tif 000030
【図２９】
2014057637.tif 000031
【図３０】
2014057637.tif 000032
【図３１】
2014057637.tif 000033
【図３２】
2014057637.tif 000034
【図３３】
2014057637.tif 000035
【図３４】
2014057637.tif 000036